(57)【特許請求の範囲】
【請求項１】
基台上にミラーからなる目視点を設けて基台には上方へ支持体を設け、そして基台の上方であって前記目視点を挟む等角度で同高の左右位置に、お客及び検者の額を対向してそれぞれ当てるための額当てを高さ調節ができる機構を介して支持体に設けた、眼鏡枠内の仮レンズに張り付けたアイポイントゲージにおける近用アイポイント位置チェック装置。
【発明の詳細な説明】
【０００１】
【発明の属する技術分野】
本発明は、お客の選んだ眼鏡枠にお客に適した遠近両用レンズをセットする際に使用するチェック装置に関するものである。このチェック装置は、お客の選んだ眼鏡枠に仮レンズをはめてアイポイントゲージを張り付けたとき、張り付けたアイポイントゲージにおいて近用アイポイントが果たして適正位置にあるかをチェックするためのものである。
【０００２】
【従来の技術】
眼鏡店で遠近両用レンズを眼鏡枠内に正確な位置関係でセットするには、次のようにしている。まず、好みの眼鏡枠をお客に選んでもらう。つぎに、お客に対して検眼をし、お客に合った遠近両用レンズを選ぶとともに、両瞳孔間の距離を測定する。それから、お客の選んだ眼鏡枠に度のない仮レンズをはめ、両瞳孔の位置に遠用アイポイントをそれぞれ合わせた状態にして仮レンズ上にアイポイントゲージを張り付ける。これで、遠用アイポイントは正確な位置にあることになるが、問題はこのとき近用アイポイントも正確かどうかである。
【０００３】
そのことをチェックするには、これまでは例えば図２に示すようにしていた。図２は本発明に係るものの説明図であるが、図２を借りて従来のやり方を説明する。直径１０ｍｍの円を描いたミラーを机の中央に水平に置き、円に対し角度的には対称でしかも同じ高さになる位置にお互いの眼を位置させて、お客と検者とが向き合う。このとき、お客はアイポイントゲージを張り付けた仮レンズをはめた眼鏡枠を掛けている。検者は左眼を閉じ右眼でミラーの円を見て、お客の右眼の瞳が近用アイポイントを通して円の中心に写っているか確かめる。つぎに、左眼で円を見て、お客の左眼の瞳が近用アイポイントを通して円の中心に写っているか確かめる。それぞれ円の中心に写っていたらレイアウトは正確となり、次の作業に移る。しかし、どちらか一方又は両方の近用アイポイントが円の中心を外れていたら、フィッテイング調整を行って正常に戻す。
【０００４】
【発明が解決しようとする課題】
従来のミラー法によるときは、お客と検者の眼がミラーに対して正確に対称の角度でしかも同じ高さになっていないと正確なチェックができない。ところが、大体この角度・高さでよいだろうと勘でやっているのが実情であり、これでは正確なチェックはできない。
本発明が解決しようとする課題は、お客・検者の眼を正確な対称角度・正確に同じ高さに容易にすることができるようにする点にある。
【０００５】
【課題を解決するための手段】
本発明においてそのような課題を解決したが、本発明に係る眼鏡枠内の仮レンズに張り付けたアイポイントゲージにおける近用アイポイント位置チェック装置は次のようなものである。すなわち、基台上にミラーからなる目視点を設けて基台には上方へ支持体を設け、そして基台の上方であって前記目視点を挟む等角度で同高の左右位置に、お客及び検者の額を対向してそれぞれ当てるための額当てを高さ調節ができる機構を介して支持体に設けたものである。
【０００６】
このチェック装置をセットしたときは、左右の額当てが目視点を挟む等角度で同高の左右位置にある。お客及び検者が左右の額当てにお互いの額を当て、お互いに目視点を目視する。このとき、両者の眼は正確に目視点を挟む等角度で同高の左右位置にある。
基台から上方へ設ける支持体の形状・構造等は任意であり、数も１本でも２本でもよい。とにかく目視点を挟む上方同高の左右の対称位置に左右の額当てを配置できるものなら、どのようなものでもよい。伸縮式・折畳み式・着脱式等にしてもよい。額当ての高さ調節機構にしても、任意のものが採用できる。
【０００７】
【発明の実施の形態】
発明の実施の形態の一つを図１に基づいて説明する。方形の基台１の上にミラー２を張り、ミラー２の中央に小さな円を描いて円内を目視点３としている。基台１の一側に角柱４を垂直に設けている。角柱４は中空のものとして中に上下片５をはめ、上下片５を上下できるようにしている。上下片５は、角柱４にねじ込んだねじ６で任意の位置に固定できるようにしている。上下片５の上端に、水平に配置した水平片７の中央を取り付けている。水平片７の両端から基台１上へと水平かつ平行に、支持片８をそれぞれ取り付けている。両支持片８の前方には、相対向する方向へやや弓なりに湾曲する額当て９をそれぞれ設けている。また、水平片７の一側下側にアームを取り付け、そのアームにより支持片８のやや下方に当たる位置に位置させて保持片１０を取り付けている。保持片１０は回転できるようにしている。なお、額当て９にお客又は検者が額を当てたとき、お客又は検者の眼が保持片１０の中央の高さになるように、保持片１０の位置を設定している。そして、保持片１０に穴をあけ、その穴に定規棒１１の上方部をはめている。また、定規棒１１の下端は直角に折り曲げ、折曲げ部を角柱４の下端付近にあけた穴にはめている。定規棒１１には１ｍｍ単位の目盛りを付けている。
【０００８】
以上に示したものは次のように使用する。お客の通常の近用視の距離はあらかじめ調べている。定規棒１１の下端と保持片１０の中央との間の長さがその近用視の距離に一致するように、上下片５を上下させて調整する。一致したところでねじ６を締めて上下片５を固定する。ここで、図２に示すようにお客と検者とが向き合ってそれぞれの額を額当て９にそれぞれ押し当て、ミラー２の目視点３の中心を目視する。このとき、お客・検者の両者の両瞳孔は目視点３に対し同じ角度・高さにある。ここで、検者が左眼を閉じて右眼で目視点３の中心を見る。つぎに、右眼を閉じて左眼で目視点３の中心を見る。このとき、お客の右眼・左眼が近用アイポイントを通して目視点３の中心に写っていたら、レイアウトの正確さを確認したことになる。もし、近用アイポイントのどちらか一方又は両方が目視点３から外れていたら、外れた側についてフィッテイング調整をする。
【０００９】
発明の実施の形態のうち別のものを図３に基づいて説明する。角柱４をやや高く形成し、角柱４の外周にスライド片１２をはめている。スライド片１２は角柱４に沿って上下できるようにし、スライド片１２にねじ込んだねじ６を締め付けて任意の位置でスライド片１２を固定することができる。スライド片１２に水平片７・支持片８・額当て９を取り付けている。このものの使用方法は、これまでの説明及び図３から明らかである。
【００１０】
発明の実施の形態のうち更に別のものを図４に基づいて説明する。図４のものは基本的には図１のものと同じであるが、折畳み式にした点が異なる。まず、角柱４の下端にヒンジ１３を設け、ヒンジ１３を中心にして角柱４を前方へ倒せるようにしている。角柱４を立てたときは角柱４の後部に設けたフック１４をその下方に設けたピン１５に掛けて固定する。また、水平片７は上下片５の上端にあけた水平の丸穴に通し、前後に回転できるようにしている。ただし、水平片７を前方へ回転させたとき水平位置で止まるように、上下片５と水平片７との間にストッパー１６を設けている。そして、上下片５の上端付近から水平にアーム１７を設け、アーム１７の先端に保持片１０を取り付けている。保持片１０は支持片８のやや下方の位置にある。収納するときは、水平片７・支持片８・額当て９を後方へ回転させた後、フック１４をピン１５から外して角柱４を前方へ倒して全体をＺ形に折り畳む。
【００１１】
発明の実施の形態のうち更に別のものを図５に基づいて説明する。角柱４を基台１の左右に２本取り付け、２本の上下片５を各角柱４にはめている。両上下片５の上端間に横棒１８を架け渡して取り付けている。各上下片５に、支持片８・額当て９・保持片１０をそれぞれ取り付けている。定規棒１１も２本使用し、Ｖ字形に設けている。なお、横棒１８を使用せず、左右の上下片５が別別に上下するようにしてもよい。
【００１２】
発明の実施の形態のうち更に別のものを図６に基づいて説明する。２本の角柱４を基台１に対しＶ字形に取り付け、各角柱４に上下片５をぞれぞれはめている。横棒１９を水平にしてその一端を一方の上下片５の上端に取り付け、横棒１９の他端側は他方の上下片５の上端に取り付けた保持片２０にあけた穴にはめている。なお、横棒１９は必ずしも使用する必要はない。
【００１３】
発明の実施の形態のうち更に別のものを図７に基づいて説明する。基台１の一側に二つの歯車２１をかみ合わせて取り付け、各歯車２１に二つの角柱４をそれぞれ取り付けている。各角柱４にそれぞれはめた上下片５の上端付近の対向側に、互いにはまり合う凸部２２及び凹部２３をそれぞれ設けている。上下片５の側面には目盛りを付けている。凸部２２・凹部２３をはめ合わせた状態にし、目盛りを見ながら各上下片５を所定の高さに伸ばしてねじ６でそれぞれ固定する。このとき、左右の額当て９は同じ高さにある。それから、両角柱４を左右に開く。歯車２１がかみ合っていることで、両角柱４等は正確に等角度で左右に開く。なお、歯車２１を使用せず、左右の角柱４が別別に動くようにしてもよい。そして、角柱４を左右に傾けたとき、同じ角度になったところでストッパーに当たって止まるようにしてもよい。また、上下片５の凸部２２・凹部２３は設けなくてもよい。
【００１４】
発明の実施の形態のうち更に別のものを図８に基づいて説明する。図８のものは、図１のものにおいて定規棒１１の代わりに定規ひも２４を使用したものに相当する。定規ひも２４の一端は角柱４の下端に取り付け、他端は支持片８に取り付けた保持片１０の穴に通した後、先端に重り２５を取り付けている。
【００１５】
発明の実施の形態のうち更に別のものを図９に基づいて説明する。別体の額当て２６の背部に設けた穴に支持片８の先端を通した状態にして、ねじ２７で額当て２６を固定するようにしている。額当て２６の一端に保持片２８を設け、定規ひも２４は保持片２８の穴に通した後、先端に重り２５を取り付けている。額当て２６の外側にはクッション２９も取り付けている。
【００１６】
発明の実施の形態のうち更に別のものを図１０に基づいて説明する。図９のものの変形であり、左右の額当て２６を連動させ同角度に傾けることができるようにしている。すなわち、左右の額当て２６の先端の各上端・下端にピン３０をそれぞれ取り付け、レバー３１の両端にあけた穴にピン３０をそれぞれ通した状態にしてピン３０にねし３２をそれぞれねじ込んでいる。一方の額当て２６を傾けると、レバー３１の作用で他方も同じ角度に傾く。
【００１７】
【発明の効果】
本発明に係るものにおいては、額当てをお客の通常の近用距離に合わせた高さにした後に、お客・検者が対向してそれぞれの額を当てる。このとき、両者の眼は目視点に対し正確に等角度になっていて、しかも同じ高さになっている。したがって、眼鏡枠内の仮レンズに張り付けたアイポイントゲージの近用アイポイントが正確な位置にあるかどうかをチェックすることができる。
【図面の簡単な説明】
【図１】発明の実施の形態を示す斜視図である。
【図２】本発明の原理を示す正面図である。
【図３】発明の実施の形態のうち別のものを示す斜視図である。
【図４】発明の実施の形態のうち更に別のものを示す斜視図である。
【図５】発明の実施の形態のうち更に別のものを示す斜視図である。
【図６】発明の実施の形態のうち更に別のものを示す斜視図である。
【図７】発明の実施の形態のうち更に別のものを示す斜視図である。
【図８】発明の実施の形態のうち更に別のものを示す斜視図である。
【図９】発明の実施の形態のうち更に別のものの要部を示す斜視図である。
【図１０】発明の実施の形態のうち更に別のものの要部を示す斜視図及びそのものの作動を示す正面図である。
【符号の説明】
１  基台
２  ミラー
３  目視点
９  額当て
２６  額当て
【図１】
0003548920.tif 000002
【図２】
0003548920.tif 000003
【図３】
0003548920.tif 000004
【図４】
0003548920.tif 000005
【図５】
0003548920.tif 000006
【図６】
0003548920.tif 000007
【図７】
0003548920.tif 000008
【図８】
0003548920.tif 000009
【図９】
0003548920.tif 000010
【図１０】
0003548920.tif 000011